(57)【要約】【課題】異常圧の作用時に、折角加熱した温水が排出されることを防止した貯湯式給湯装置を提供する。【解決手段】入水管６と出湯管５が接続され湯水を貯湯する貯湯タンク４と、前記貯湯タンク４内の湯水を加熱する加熱手段２とを備え、前記入水管６及び出湯管５にはそれぞれ圧力逃がし弁１６、１７を設けると共に、入水管６側の圧力逃がし弁１６が出湯管５側の圧力逃がし弁１７より低圧力で作動するようにしたので、装置内に異常圧が作用した時には、この異常圧分と共に水が排出されるので、折角深夜の安い電力を利用して沸かし上げた貴重な温水を無駄にすることがなく、効率の良い給湯が出来ると共に極めて経済的であり、確実に異常状態を回避出来、常に安心して使用出来るものである。【選択図】　図１
2004085060.tif 000002
【特許請求の範囲】
【請求項１】
入水管と出湯管が接続され湯水を貯湯する貯湯タンクと、前記貯湯タンク内の湯水を加熱する加熱手段とを備え、前記入水管及び出湯管にはそれぞれ圧力逃がし弁を設けると共に、入水管側の圧力逃がし弁が出湯管側の圧力逃がし弁より低圧力で作動するようにした事を特徴とする貯湯式給湯装置。
【請求項２】
前記出湯管側の圧力逃がし弁は、空気抜き弁を兼ねる構成とした事を特徴とする請求項１記載の貯湯式給湯装置。
【発明の詳細な説明】
【０００１】
【発明の属する技術分野】
この発明は、ヒートポンプ給湯機や電気温水器等の貯湯式給湯装置に関するものである。
【０００２】
【従来の技術】
従来よりこの種のものに於いては、例えば特開平７−１０３５６９号公報に開示されているように、出湯管に圧力逃がし弁を設けることで、貯湯タンク内の圧力が異常上昇した時には、この異常上昇分の圧力を逃がすことによって、貯湯タンク及び出湯配管等の破損を防止するものであった。
【０００３】
【発明が解決しようとする課題】
ところでこの従来のものでは、出湯管側に圧力逃がし弁が備えられているので、圧力を逃がすと同時に温水も放出されてしまい、折角深夜の安い電力を利用して沸かし上げた貴重な温水が無駄となる不具合を有するものであった。
【０００４】
この発明はこの点に着目し上記欠点を解決する為、特にその構成を、入水管と出湯管が接続され湯水を貯湯する貯湯タンクと、前記貯湯タンク内の湯水を加熱する加熱手段とを備え、前記入水管及び出湯管にはそれぞれ圧力逃がし弁を設けると共に、入水管側の圧力逃がし弁が出湯管側の圧力逃がし弁より低圧力で作動するようにしたものである。
【０００５】
これによって、圧力が異常上昇した時には、入水管側に備えた圧力逃がし弁がまず先に開成して圧力を逃がすので、この時放出されるのは温水ではなくまだ加熱されていない水であり、無駄な温水の放出を防止して経済性の向上を図ることが出来るものである。
【０００６】
更に出湯管側の圧力逃がし弁は、出湯管側の最上部に溜まる空気を抜くと共に、圧力逃がし弁としても作用するので、入水管側とで二重の安全装置として作用し、一方が故障した時も安心であり、確実に異常状態を回避出来、常に安心して使用出来るものである。
【０００７】
【発明の実施の形態】
次に、本発明の一実施形態を図面に基づいて説明する。
１は貯湯タンクユニット、２はヒートポンプユニットよりなる加熱手段、３は給湯栓である。
【０００８】
前記貯湯タンクユニット１は、湯水を貯湯する貯湯タンク４と、貯湯タンク４の上部に接続された出湯管５と、貯湯タンク４の下部に接続された入水管６と、出湯管５からの高温水と入水管６から分岐された分岐管７からの低温水とを混合するミキシング弁８と、ミキシング弁８の下流に接続された給湯管９と、給湯管９に設けられた給湯温度センサ１０と、給湯管９に設けられた給湯流量センサ１１と、貯湯タンク４の側面上下方向に複数設けられた貯湯温度センサ１２と、この貯湯タンクユニット１の制御を行う給湯制御部１３と、貯湯タンク４と加熱手段２とを接続して湯水を循環させる循環回路１４とを備えて構成されている。
【０００９】
又貯湯タンク４下部に接続した入水管６の途中には、給水圧を１７０ｋｐａにする減圧弁１５が備えられると共に、この減圧弁１５と貯湯タンク４間の入水管６には１９６ｋｐａに圧力設定された圧力逃がし弁１６が設けられおり、一方出湯管５の最上部には２４５ｋｐａに圧力設定され且つ空気抜き弁も兼ねる圧力逃がし弁１７が設けられ、貯湯タンク４内を圧力容器の法規制内の圧力に保持するようにしているものである。
【００１０】
前記加熱手段２は、冷媒を圧縮するコンプレッサー１８と、凝縮器としての冷媒−水熱交換器１９と、減圧器２０と、蒸発器としての空気熱交換器２１よりなるヒートポンプ回路２２と、空気熱交換器２１に送風する送風機２３と、循環回路１４途中に設けられた能力可変の循環ポンプ２４と、循環回路１４の冷媒−水熱交換器１９入口側に設けられ、冷媒−水熱交換器１９に流入する湯水の温度を検出する熱交入口温度センサ２５と、循環回路１４の冷媒−水熱交換器１９出口側に設けられ、冷媒−水熱交換器１９から流出する湯水の温度を検出する熱交出口温度センサ２６と、この加熱手段２の制御を行う加熱制御部２７とを備えて構成されている。
【００１１】
次にこの発明一実施例の作動について説明する。
まず貯湯タンク４内の湯水を加熱する場合には、加熱制御部２７がヒートポンプ回路２２を作動させ、循環回路１４の循環ポンプ２４を駆動開始する。そして、循環ポンプ２４の駆動により貯湯タンク４下部から取り出された湯水が加熱手段２の冷媒−水熱交換器１９に流入して加熱され、循環回路１４を介して貯湯タンク４の上部に戻されることにより高温の湯が貯湯される。
【００１２】
ここで、熱交入口温度センサ２５と熱交出口温度センサ２６の検出値に応じて、ヒートポンプ回路２２の出力と循環ポンプ２４の能力を適宜調整して加熱する湯水が所定の高温になるように可変されるものである。詳細には、それぞれの出力および能力は熱交入口温度センサ２５と熱交出口温度センサ２６の検出値に応じてフィードフォワード制御及び／又はフィードバック制御により調整されるものである。
【００１３】
そして、貯湯タンク４の側面に設けられた貯湯温度センサ１４が所定の量の高温水が貯湯されたことを検出するか、又は、熱交入口温度センサ２５が所定温度以上を検出すると、給湯制御部１３が加熱制御部２７へ加熱動作の停止を指令し、ヒートポンプ回路２２と循環ポンプ２４の作動が停止されるものである。
【００１４】
一方この貯湯タンク４に貯湯された高温水は、給湯栓３を開くと、入水管６からの圧により貯湯タンク４上部の高温水が出湯管５に押し出され、給湯制御部１３により制御されるミキシング弁８にて分岐管７の低温水と給湯温度センサ１０の検出する温度が所定の温度になるように混合されて給湯管９を介して給湯されるものである。なお、前記所定の温度は操作用リモコン（図示せず）により任意に設定されるものである。
【００１５】
又この時貯湯タンク４内の圧力が異常上昇した場合には、入水管６側の圧力逃がし弁１６が作動圧が低いので、出湯管５側の圧力逃がし弁１７より先に開成し、異常圧分を器具外に排出することになり、この時配管内の湯水も同時に放出されるが、圧力逃がし弁１６は入水側であるから、まだ加熱されていない水のみが排出されるものである。
【００１６】
従って、折角深夜の安い電力を利用して沸かし上げた貴重な温水を無駄にすることがなく、効率の良い給湯が出来ると共に極めて経済的であり、更に入水管６側の圧力逃がし弁１６だけでは逃がしきれない異常圧が作用した時には、出湯管５側の圧力逃がし弁１７も開成して異常圧分を排出するので、二重の安全装置として作用し、一方が故障した時も安心であり、確実に異常状態を回避出来、常に安心して使用出来るものである。
【００１７】
又前記した出湯管５側の圧力逃がし弁１７は装置の最上部に備えられ、貯湯タンク４の上部に溜まる空気を抜く空気抜き弁も兼ねて、順次発生する空気を効率良く抜くので、給湯に空気が混ざる心配も無いものである。
【００１８】
更にこの実施例では、貯湯タンク４を立設して説明したが、これに限定されることなく横置きにして床下に設置するようにしても、又電気ヒ−タを加熱手段とした電気温水器でも同様な効果が得られるものである。
【００１９】
【発明の効果】
以上のようにこの発明によれば、装置内に異常圧が作用した時には、この異常圧分と共に水が排出されるので、折角深夜の安い電力を利用して沸かし上げた貴重な温水を無駄にすることがなく、効率の良い給湯が出来ると共に極めて経済的であり、更に入水管側の圧力逃がし弁だけでは逃がしきれない異常圧が作用した時には、出湯管側の圧力逃がし弁も開成して異常圧分を排出するので、二重の安全装置として作用し、一方が故障した時も安心であり、確実に異常状態を回避出来、常に安心して使用出来るものである。
【図面の簡単な説明】
【図１】この発明の一実施例を付した貯湯式給湯装置の概略構成図。
【符号の説明】
２　加熱手段
４　貯湯タンク
５　出湯管
６　入水管
１６、１７　圧力逃がし弁
【図１】
2004085060.tif 000003